(57)【要約】【課題】入浴者が一般家庭にいながらにして、銭湯のように不特定多数の人との会話を気軽に楽しめる仮想銭湯を構築するためのシステムを実現。【解決手段】浴室２に設置された音声通話機能付の給湯器リモコン３と、当該浴室２内において音声通話が可能であるか否かを識別する通話可能状態識別手段３４と、を備える複数の家屋１間で構築可能とされ、複数の給湯器リモコン３を、インターネット６を介して相互に通話可能とし、通話可能状態識別手段３４により音声通話が可能と識別された浴室２における給湯器リモコン３に限り、双方向に音声通話可能とする双方向音声通話規制手段３５を備える。【選択図】図２
2015198285.tif 000002
【特許請求の範囲】
【請求項１】
入浴空間に設置された音声通話機能付の給湯器リモコンと、当該入浴空間内において音声通話が可能であるか否かを識別する通話可能状態識別手段と、を備える複数の施設間で構築可能とされ、
前記複数の給湯器リモコンを、インターネットを介して相互に通話可能とし、
前記通話可能状態識別手段により音声通話が可能と識別された入浴空間における前記給湯器リモコンに限り、双方向に音声通話可能とする双方向音声通話規制手段を備えた仮想銭湯構築システム。
【請求項２】
前記通話可能状態識別手段が、
前記入浴空間内の浴槽の水位を計測するセンサの出力に基づいて入浴中か否かを判定し、入浴中の場合には音声通話可能と識別し、入浴中でない場合には音声通話不可と識別し、
前記通話可能状態識別手段により通話不可と識別された給湯器リモコンを、前記双方向音声通話規制手段が前記双方向の音声通話対象の給湯器リモコンから排除するように構成された請求項１に記載の仮想銭湯構築システム。
【請求項３】
前記複数の給湯器リモコンと通信可能なサーバを備え、
前記サーバが、
前記複数の給湯器リモコンのうち、当該給湯器リモコンが備えられた施設が前記通話可能状態識別手段により音声通話が可能と識別されている台数を取得する通話可能台数取得手段を備え、
前記給湯器リモコンが、
前記サーバの前記通話可能台数取得手段により取得された台数を表示する請求項１又は２に記載の仮想銭湯構築システム。
【請求項４】
前記サーバが、
前記給湯器リモコンにおける風呂の焚きあがり時刻を取得する焚きあがり時刻取得手段を備え、
前記給湯器リモコンが、
前記サーバの前記焚きあがり時刻取得手段により取得された焚きあがり時刻のうち、所定の時間帯に該当する数を表示する請求項３に記載の仮想銭湯構築システム。
【請求項５】
前記給湯器リモコンが、
所定の音声通話相手を登録する登録機能を備え、
前記サーバが、
前記給湯器リモコンにおいて登録された音声通話相手の給湯器リモコンにおいて焚きあがり時刻として最も高頻度で指定されている時間帯を取得する入浴時間帯取得手段を備える請求項３又は４の何れか一項に記載の仮想銭湯構築システム。
【請求項６】
前記給湯器リモコンが、
前記サーバの前記入浴時間帯取得手段により取得された時間帯に、湯張りが完了するように湯張りタイマーを設定する請求項５に記載の仮想銭湯構築システム。
【請求項７】
前記サーバが、
お互いに登録している前記給湯器リモコンにおける、その日の焚きあがり時刻を取得する登録リモコン焚きあがり時刻取得手段と、
前記登録リモコン焚きあがり時刻取得手段により取得した焚きあがり時刻のうち、所定の範囲内に、最も多くの前記給湯器リモコンが存在する最多時刻を算出する最多時刻算出手段とを備え、
お互いに登録している前記給湯器リモコンのうち、前記最多時刻から所定の範囲内に、焚きあがり時刻が予約されている前記給湯器リモコンが、
焚きあがり時刻を、前記最多時刻に変更する請求項５又は６に記載の仮想銭湯構築システム。
【発明の詳細な説明】
【技術分野】
【０００１】
本発明は、入浴者が、入浴中の入浴空間に限定されず、不特定多数の人との会話を気軽に楽しめる仮想銭湯を構築するためのシステムに関する。
【背景技術】
【０００２】
入浴中に、入浴空間外の人と通話する方法としては、特許文献１に示すように、同じ建物内において、浴室内インターホンと複数の浴室外インターホンとの間で通話を行うシステムが知られている。このシステムでは、不要な浴室外インターホンからの発声を防止し、使用者のプライバシーを保持することができるように構成されている。
【０００３】
また、入浴中に外部の人と通話する別の方法としては、防水タイプの携帯電話を浴室に持ち込む方法がある。
【先行技術文献】
【特許文献】
【０００４】
【特許文献１】特開２００５−１５９５０５号公報
【発明の概要】
【発明が解決しようとする課題】
【０００５】
しかしながら、上記のように特定の人と会話する方法では、自宅で入浴中に、通話相手を浴室内で選択するには手間がかかるという問題もある。また、通話相手を限定した場合でも、聞かれたくない音や不快な音（体内から発生する音、シャワーの雑音）のみを選択的に遮音することはできないといった問題もある。その他にも、通話可能な相手がいるかどうかを知る手段がないことから、通話相手が出現するまで入浴を待つ場合もあり、その間にお湯が冷める場合がある。
【０００６】
そこで、本願発明の目的は、入浴者が、入浴中の入浴空間に限定されず、例えば銭湯のように、不特定多数の人との会話を気軽に楽しめる仮想銭湯を構築するためのシステムを実現することにある。具体的には、入浴者が一般家庭にいながらにして、銭湯のように不特定多数の人との会話を気軽に楽しめる空間や、公衆浴場などにおいて入浴者が少ない場合であっても、不特定多数の人との会話を気軽に楽しめる空間を実現する。
【課題を解決するための手段】
【０００７】
上記目的を達成するため、本願発明に係る仮想銭湯構築システムの特徴構成は、入浴空間に設置された音声通話機能付の給湯器リモコンと、当該入浴空間内において音声通話が可能であるか否かを識別する通話可能状態識別手段と、を備える複数の施設間で構築可能とされ、
前記複数の給湯器リモコンを、インターネットを介して相互に通話可能とし、
前記通話可能状態識別手段により音声通話が可能と識別された入浴空間における前記給湯器リモコンに限り、双方向に音声通話可能とする双方向音声通話規制手段を備えた点にある。
【０００８】
上記特徴構成により、給湯器リモコンを用い、インターネットを介して不特定多数の人との会話が可能となる。また、通話可能状態識別手段により双方向に音声通話可能とできるかが識別できる。よって、通話が可能と識別された入浴空間における入浴者同士が双方向に会話をすることが可能となる。すなわち、入浴者が、入浴中の入浴空間に限定されず、不特定多数の人との会話を気軽に楽しめる仮想銭湯を構築するためのシステムを実現することができる。具体的には、入浴者が一般家庭にいながらにして、銭湯のように不特定多数の人との会話を気軽に楽しむことや、公衆浴場などにおいて入浴者が少ない場合であっても、不特定多数の人との会話を気軽に楽しむことができる。
ここで、本願発明における「入浴空間」としては、給湯器リモコンが備えられた空間であれば良く、一般家庭の浴室や、大浴場などの屋内に設けられた閉空間に加え、屋外に設けられた露天風呂のように大気に開放された空間も含む。
【０００９】
本願発明に係る仮想銭湯構築システムにおいては、上記特徴構成に加えて、前記通話可能状態識別手段が、
前記入浴空間内の浴槽の水位を計測するセンサの出力に基づいて入浴中か否かを判定し、入浴中の場合には音声通話可能と識別し、入浴中でない場合には音声通話不可と識別し、
前記通話可能状態識別手段により通話不可と識別された給湯器リモコンを、前記双方向音声通話規制手段が前記双方向の音声通話対象の給湯器リモコンから排除すると好適である。
【００１０】
上記特徴構成によれば、浴槽の水位を計測するセンサの出力によって、入浴中か否かを識別することができる。また、入浴中でない場合には双方向の音声通話を不可とするため、湯船につかっていない状態において発生する聞かれたくない音や不快な音（体内から発生する音、シャワーの雑音）を選択的に遮音することができる。すなわち、入浴者が、入浴中の入浴空間に限定されず、不特定多数の人との会話を気軽に楽しめる仮想銭湯を、より快適に構築するためのシステムを実現できる。
【００１１】
加えて、前記複数の給湯器リモコンと通信可能なサーバを備え、
前記サーバが、
前記複数の給湯器リモコンのうち、当該給湯器リモコンが備えられた施設が前記通話可能状態識別手段により音声通話が可能と識別されている台数を取得する通話可能台数取得手段を備え、
前記給湯器リモコンが、
前記サーバの前記通話可能台数取得手段により取得された台数を表示すると好適である。
【００１２】
上記特徴構成によれば、入浴者は、音声通話可能な給湯器リモコンの台数を、手元の給湯器リモコンで確認することが可能となる。よって、音声通話可能な相手がいるかどうかを知ることができるため、入浴後に、通話相手が出現するまで入浴を待つといった事態が生じることを抑えられる。すなわち、入浴者が、入浴中の入浴空間に限定されず、不特定多数の人との会話を気軽に楽しめる仮想銭湯を、より快適に構築するためのシステムを実現できる。
【００１３】
さらに、前記サーバが、
前記給湯器リモコンにおける風呂の焚きあがり時刻を取得する焚きあがり時刻取得手段を備え、
前記給湯器リモコンが、
前記サーバの前記焚きあがり時刻取得手段により取得された焚きあがり時刻のうち、所定の時間帯に該当する数を表示すると好適である。
【００１４】
上記特徴構成によれば、入浴者は、所定の時間帯において、音声通話可能となる可能性の高い給湯器リモコンの台数を、手元の給湯器リモコンで確認することが可能となる。よって、音声通話可能な相手が将来どの時間帯にどの程度いそうかを推定することが可能となるため、入浴のタイミングを入浴前に調整することができ、入浴後に、通話相手が出現するまで入浴を待つといった事態が生じることを抑えられる。すなわち、入浴者が、入浴中の入浴空間に限定されず、不特定多数の人との会話を気軽に楽しめる仮想銭湯を、より快適に構築するためのシステムを実現できる。
【００１５】
また、前記給湯器リモコンが、
所定の音声通話相手を登録する登録機能を備え、
前記サーバが、
前記給湯器リモコンにおいて登録された音声通話相手の給湯器リモコンにおいて焚きあがり時刻として最も高頻度で指定されている時間帯を取得する入浴時間帯取得手段を備えると好適である。
【００１６】
上記特徴構成によれば、登録機能により、例えば、よく会話する相手など、所定の音声通話相手を登録しておくことができる。さらに、サーバが入浴時間帯取得手段により、当該通話相手が高頻度に風呂を焚きあげる時間帯を取得できる。よって、例えば、サーバが取得した時間帯を給湯器リモコンで表示すれば、登録した通話相手と、高頻度に会話可能な時間帯を把握することができる。
【００１７】
また、前記給湯器リモコンが、
前記サーバの前記入浴時間帯取得手段により取得された時間帯に、湯張りが完了するように湯張りタイマーを設定する構成とすると好適である。
【００１８】
上記特徴構成によれば、給湯器リモコンに登録された通話相手宅において、風呂を焚きあげる可能性が高いと考えられる時間帯に合わせて、風呂を焚きあげることができる。よって、入浴者は、登録した通話相手との会話を高頻度で楽しむことができるようになる。
【００１９】
さらに、前記サーバが、
お互いに登録している前記給湯器リモコンにおける、その日の焚きあがり時刻を取得する登録リモコン焚きあがり時刻取得手段と、
前記登録リモコン焚きあがり時刻取得手段により取得した焚きあがり時刻のうち、所定の範囲内に、最も多くの前記給湯器リモコンが存在する最多時刻を算出する最多時刻算出手段とを備え、
お互いに登録している前記給湯器リモコンのうち、前記最多時刻から所定の範囲内に、焚きあがり時刻が予約されている前記給湯器リモコンが、
焚きあがり時刻を、前記最多時刻に変更すると好適である。
【００２０】
上記特徴構成によれば、最多時刻算出手段によって、最も多くの給湯器リモコンが風呂を焚きあげる予定の最多時刻を取得する。さらに最多時刻から所定の範囲内に焚きあがり時刻が予定されている給湯器リモコンについては、焚きあがり時刻を最多時刻に変更する。このため、お互いに通話相手として登録している入浴者が、最も多く会話に参加できる時間帯に、自動的に風呂が焚きあがる。よって、入浴者が、入浴中の入浴空間に限定されず、不特定多数の人との会話を気軽に楽しめる仮想銭湯を、より快適に構築するためのシステムを実現できる。
【図面の簡単な説明】
【００２１】
【図１】仮想銭湯構築システムの概要図
【図２】仮想銭湯構築システムのブロック図
【図３】給湯器リモコンの外観図
【図４】給湯器リモコンのステレオ音声の強弱設定例を示す図
【発明を実施するための形態】
【００２２】
以下、本発明の実施形態に係る仮想銭湯構築システムＳについて図面を用いて説明する。図１に示すように、仮想銭湯構築システムＳは、家屋１（一般家庭）内の浴室２に設けられた給湯器リモコン３を用い、インターネット６を介して、入浴者同士が音声通話可能に構成される。ここで、家屋１は、本願発明における「施設」に、浴室２は、本願発明における「入浴空間」に相当する。給湯器リモコン３は、浴室２に設置され、スピーカー及びマイクを備え、音声通話機能を有する。仮想銭湯構築システムＳは、複数の家屋１間で構築することが可能である。仮想銭湯構築システムＳでは、複数の給湯器リモコン３が、インターネット６を介して音声及び情報を送受信可能に構成され、入浴者は給湯器リモコン３を用いて相互に通話可能となる。
【００２３】
さらに、仮想銭湯構築システムＳは、給湯器リモコン３及び、給湯器リモコン３同士の接続を中継するサーバ７に、入浴者同士が快適に会話できるようにするための各種機能を備える。サーバ７は、複数の給湯器リモコン３とインターネット６を介して情報通信可能に構成される。以下では、給湯器リモコン３及びサーバ７について詳述する。
【００２４】
〔給湯器リモコン３の構成〕
図２に示すように、給湯器リモコン３は、演算装置及び記憶装置からなる制御装置３０を備え、制御装置３０内の回路またはプログラムとして、お気に入り登録手段３１、湯張りタイマー自動設定手段３２、焚きあがり時刻調整手段３３、通話可能状態識別手段３４、及び双方向音声通話規制手段３５を備える。給湯器リモコン３は、装置ごとに一意に決められたユーザーＩＤを記憶する。
【００２５】
給湯器リモコン３は、ユーザーが、給湯時の温度（設定温度）を設定可能に構成される。また、浴槽に設定温度のお湯を張る湯張り機能、及びユーザーの指定する指定時間に湯張りを行う湯張りタイマー機能、追い焚き機能などを有する。
【００２６】
ここで、「焚きあがり時刻」とは、湯張りが完了する時刻もしくは、追い焚きが完了する時刻を意味する。
【００２７】
お気に入り登録手段３１は、仮想銭湯構築システムＳで通話中の通話相手のユーザーＩＤを「お気に入り」として１つ以上登録可能に構成される。具体的には、入浴者が、給湯器リモコン３に設けられたお気に入りボタンなどの入力手段により登録することができる。ここで、お気に入り登録手段３１は、本願発明における「登録機能」に相当する。
【００２８】
湯張りタイマー自動設定手段３２は、サーバ７の入浴時間帯取得手段７２により取得された時間帯に、湯張りが完了するように湯張りタイマーを自動で設定する。より具体的には、湯張りタイマー自動設定手段３２は、サーバ７の焚きあがり時刻取得手段７１が取得した入浴時間帯をインターネット６を介して受信し、受信した入浴時間帯内に湯張りが完了するように湯張りタイマーを設定する。
【００２９】
焚きあがり時刻調整手段３３は、サーバ７から受信した最多時刻から所定の範囲内に、焚きあがり時刻が予約されている場合に、焚きあがり時刻を、最多時刻に変更する。より具体的には、焚きあがり時刻調整手段３３は、まずサーバ７が最多時刻算出手段７４により算出した最多時刻を受信する。次に、給湯器リモコン３の焚きあがり時刻が、最多時刻から所定範囲内にあるか否かを調べる。所定範囲内の場合には、給湯器リモコン３の焚きあがり時刻を、最多時刻に変更する。ここで、所定範囲内としては、例えば３０分に設定する。
【００３０】
通話可能状態識別手段３４は、当該浴室２内において入浴者が音声通話が可能であるか否かを識別する。具体的には、浴槽の水位を計測するセンサ４の出力に基づいて入浴中か否かを判定する。センサ４は、いわゆる水位センサであり、例えば、浴槽内に湯を供給するための流路（不図示）に設けられた圧力センサである。水位センサは、流路内の水圧の変化を検出することで、浴槽の中の水位を検出する。センサ４は、給湯器の自動湯張りの際に用いるものを兼用すると良い。具体的には、センサ４により水位を検知し、水位が急激に上昇した場合に、入浴中であると判定することができる。通話可能状態識別手段３４は、センサ４の出力に基づいて入浴中と判断した場合には音声通話可能と識別し、入浴中でない場合には音声通話不可と識別する。
【００３１】
双方向音声通話規制手段３５は、通話可能状態識別手段３４により音声通話が可能と識別された浴室２における給湯器リモコン３に限り、双方向に音声通話可能とする。具体的には、通話可能状態識別手段３４により通話不可と識別された給湯器リモコン３を、双方向音声通話規制手段３５が双方向の音声通話対象の給湯器リモコン３から排除するように構成される。
【００３２】
給湯器リモコン３は、他の給湯器リモコン３との通話を開始した状態から、通話可能状態識別手段３４により通話不可と識別され、双方向音声通話規制手段３５により双方向の音声通話対象から排除されると、他の給湯器リモコン３からの通話を聞くことのみ可能となる。即ち、この給湯器リモコン３から、他の給湯器リモコン３に音声が送られることはない。
【００３３】
また、給湯器リモコン３は、通話可能状態識別手段３４により通話可能と識別され直すと、双方向音声通話規制手段３５による排除が解除され、再度双方向の音声通話が可能となる。なお、入浴中となった場合に、他の給湯器リモコン３や、もしくは他の給湯器リモコン３のユーザーが所有する携帯端末に通知しても構わない。
【００３４】
このような構成により、他の給湯器リモコン３との通話を開始した状態から、例えば、入浴者が一時的に浴槽から出て、体を洗っている間は、当該入浴者の体を洗う音などは、他の給湯器リモコン３に伝達されることがなくなり、他の給湯器リモコン３を利用している入浴者の会話を妨げることを防ぐことができる。
【００３５】
給湯器リモコン３は、液晶ディスプレイなどの外部出力手段を備え、サーバ７の通話可能台数取得手段７５により取得された台数を表示する。この機能により、入浴者は、現在、何人と通話可能であるかを確認することができる。
【００３６】
また、給湯器リモコン３は、サーバ７の焚きあがり時刻取得手段７１により取得された焚きあがり時刻のうち、所定の時間帯に該当する数を表示する。これにより、何人が入浴する可能性があるかを所定の時間帯ごとに視覚的に確認することが可能となる。ここでの所定の時間帯としては、例えば、６〜１２時の間で、１時間毎のように設定すると良い。
【００３７】
本実施形態においては、給湯器リモコン３は、図３に示すように、外部出力手段として液晶ディスプレイ３０１を備える。また、給湯器リモコン３の筐体の左右に、ステレオスピーカ３０２が設けられる。また、お気に入り登録や、設定温度の変更、追い焚きなどの機能を実行するための入力手段として、複数のボタン３０３が備えられる。
【００３８】
給湯器リモコン３は、通話中の給湯器リモコン３のユーザーＩＤの一覧を液晶ディスプレイ３０１に、横方向に並べて表示するように構成される。さらに、図４に示すように、液晶ディスプレイ上での並び順に、ユーザーＩＤごとに、ステレオ音声の左右のボリュームの強弱（バランス）を設定する。また、発話者のユーザーＩＤが点滅する。このような構成により、現在発話中のユーザーＩＤを視覚的にも聴覚的にも把握し易くなっている。なお、本実施形態においては、ユーザーＩＤを数値で示したが、ユーザーが指定した文字列（ニックネームなど）で表示しても構わない。
【００３９】
また、ユーザーＩＤの下部に、過去に同じ時間帯の会話に参加した回数を表示するように構成しても良い。この場合に、指定数以上、同じ時間帯の会話に参加したユーザーＩＤのみ、お気に入り登録手段３１によりお気に入り登録できるように構成しても構わない。また、特定のユーザーＩＤからの発話を遮断するような機能を搭載しても構わない。
【００４０】
〔サーバ７の構成〕
図２に示すように、サーバ７は、演算装置及び記憶装置からなる制御装置７０を備え、制御装置７０内の回路またはプログラムとして、各種手段（７１〜７４）を備える。また、サーバ７は、給湯器リモコン３から焚きあがり時刻を受信し、給湯器リモコン３のユーザーＩＤごとに過去の焚きあがり時刻を記憶する焚きあがり時刻記憶手段ＤＢを備える。焚きあがり時刻記憶手段ＤＢには、ユーザーＩＤと焚きあがり時刻とを紐付けて記憶される。
【００４１】
焚きあがり時刻取得手段７１は、サーバ７が通信可能な給湯器リモコン３における風呂の焚きあがり時刻を取得する。すなわち、焚きあがり時刻取得手段７１は、動作時において、通信可能な給湯器リモコン３において設定されている焚きあがり時刻を取得する。
【００４２】
入浴時間帯取得手段７２は、給湯器リモコン３においてお気に入り登録手段３１によりお気に入りに登録された音声通話相手の給湯器リモコン３において焚きあがり時刻として最も高頻度で指定されている時間帯を取得する。より具体的には、まず、入浴時間帯取得手段７２は、給湯器リモコン３から当該給湯器リモコン３のお気に入り登録手段３１により登録されたお気に入りのユーザーＩＤを取得する。次に、焚きあがり時刻記憶手段ＤＢから、取得したユーザーＩＤに紐付けられた焚きあがり時刻を取得する。さらに、取得した焚きあがり時刻を、所定時間幅ごとに集計し、最も出現頻度の高い時間帯を取得する。ここで、所定時間幅としては、例えば「１５分」に設定する。
【００４３】
登録リモコン焚きあがり時刻取得手段７３は、お互いに登録している給湯器リモコンにおける、その日の焚きあがり時刻を取得する。具体的には、登録リモコン焚きあがり時刻取得手段７３は、まず、一の給湯器リモコン３からお気に入りに登録されたユーザーＩＤを取得する。次に、取得したユーザーＩＤに該当する給湯器リモコン３から、その日の焚きあがり時刻を取得する。
【００４４】
最多時刻算出手段７４は、登録リモコン焚きあがり時刻取得手段７３により取得した焚きあがり時刻のうち、所定の範囲内に、最も多くの給湯器リモコン３が存在する最多時刻を算出する。具体的には、最多時刻算出手段７４は、まず、登録リモコン焚きあがり時刻取得手段７３により取得した焚きあがり時刻を取得する。次に、取得した各焚きあがり時刻について、所定の範囲内に他の給湯器リモコン３の焚きあがり時刻がいくつ含まれるかを調べる。ここで、所定の範囲としては、例えば３０分に設定する。すなわち、特定の焚きあがり時刻の前後１５分ずつの間に、いくつ他の焚きあがり時刻が含まれているかを集計する。このようにして調べた焚きあがり時刻うち、最も他の焚きあがり時刻の出現頻度が高かったものを、最多時刻に決定する。
【００４５】
通話可能台数取得手段７５は、複数の給湯器リモコン３のうち、当該給湯器リモコン３が備えられた家屋１が通話可能状態識別手段３４により音声通話が可能と識別されている台数を取得する。
【００４６】
〔仮想銭湯構築システムＳの動作〕
【００４７】
仮想銭湯構築システムＳの利用方法について説明する。入浴者が、給湯器リモコン３に設けられた会話開始用ボタンを押すと、サーバ７が通話可能台数取得手段７５により通話可能な給湯器リモコン３の台数を取得し、通信可能な給湯器リモコン３間で、会話が可能な状態とできるように接続を確立する。
【００４８】
なお、給湯器リモコン３において、設定された湯音や湯量から、半身浴か、通常の入浴かを判別可能に構成し、サーバ７で複数の給湯器リモコン３間の接続を確立させる際に、半身浴か通常の入浴かの判別結果が同一の給湯器リモコン３のみを接続するようにしても構わない。
【００４９】
接続が確立したそれぞれの給湯器リモコン３において、双方向音声通話規制手段３５によって、入浴者が入浴中である給湯器リモコン３のみが双方向通話可能として、会話が可能となる。以上が、仮想銭湯構築システムＳの基本的な動作となる。
【００５０】
給湯器リモコン３は、上述のように、お気に入り登録手段３１により他の給湯器リモコン３のユーザーＩＤを登録している場合には、登録されたユーザーＩＤの給湯器リモコン３に関する情報に基づいて、焚きあがり時刻を調整させることができる。具体的には、湯張りタイマー自動設定手段３２による湯張りタイマーの自動設定機能と、焚きあがり時刻調整手段３３による焚きあがり時刻の調整機能とを有する。これらの機能は、ユーザーが、給湯器リモコン３に設けられたボタン３０３を用いて、有効／無効を設定可能に構成すると良い。
【００５１】
以上のような構成により、入浴者が一般家庭にいながらにして銭湯のように不特定多数の人と会話を楽しめる仮想銭湯を構築するためのシステムを実現することができる。
【産業上の利用可能性】
【００５２】
入浴者が一般家庭にいながらにして銭湯のように不特定多数の人と会話を楽しめる仮想銭湯を構築するためのシステムとして利用可能である。
【符号の説明】
【００５３】
１        ：家屋
２        ：浴室（入浴空間）
３        ：給湯器リモコン
４        ：センサ
６        ：インターネット
７        ：サーバ
３４      ：通話可能状態識別手段
３５      ：双方向音声通話規制手段
７１      ：焚きあがり時刻取得手段
７２      ：入浴時間帯取得手段
７３      ：登録リモコン焚きあがり時刻取得手段
７４      ：最多時刻算出手段
７５      ：通話可能台数取得手段
Ｓ        ：仮想銭湯構築システム
【図１】
2015198285.tif 000003
【図２】
2015198285.tif 000004
【図３】
2015198285.tif 000005
【図４】
2015198285.tif 000006